(57)【要約】【課題】グレーレベル輝度を補正するための装置を有する液晶ディスプレイを提供する。【解決手段】Ｎライン反転駆動法が液晶ディスプレイに用いられる場合、同一の極性を有する第１の水平線のグレーレベル電圧が補正される。Ｎのガンマ電圧をＭ番目のグレーレベルに対して発生させ、マルチプレクサは適切な電圧を選択するとともにその適切な電圧をデジタル／アナログコンバータに出力するために用いられる。該マルチプレクサは制御信号により制御される。正極性では、極性制御信号は第１の水平線反転期間の間は高電圧を出力する。負極性では、極性制御信号は第１の水平線反転期間の間は低電圧を出力する。【選択図】  図３
2006189754.tif 000002
【特許請求の範囲】
【請求項１】
液晶ディスプレイパネルに適合されるグレーレベル輝度を補正する方法であって、該液晶ディスプレイパネルは、複数のデータ線と、上端から下端にかけて該データ線と直交する複数の水平線とを備え、前記各データ線は複数の画素を備え、該各データ線は信号を供給することで前記画素の各々が該信号に対応するグレーレベル輝度を発生させ、該方法は、
前記グレーレベル輝度に対応した複数のグレーレベル電圧を発生させ、
制御信号を受け取り該制御信号に基づいて前記グレーレベル電圧の内の一つの補正用のグレーレベル電圧を選択することを特徴とするグレーレベル輝度を補正する方法。
【請求項２】
前記グレーレベル輝度に対応する前記画素が正極性を有する場合、十分な充電時間を持たない画素の各々に前記制御信号が供給され、該制御信号により前記グレーレベル電圧から高い補正グレーレベル電圧が選択され、該高補正グレーレベル電圧はエラー電圧によって決定されることを特徴とする請求項１に記載のグレーレベル輝度を補正する方法。
【請求項３】
前記グレーレベル輝度に対応する前記画素が負極性を有する場合、十分な放電時間を持たない画素の各々に前記制御信号が供給され、該制御信号により前記グレーレベル電圧から低い補正グレーレベル電圧が選択され、該低補正グレーレベル電圧はエラー電圧によって決定されることを特徴とする請求項１に記載のグレーレベル輝度を補正する方法。
【請求項４】
同一の極性を有する二つの隣接する水平線が同じグレーレベル輝度を示す場合、該二つの水平線間の前記エラー電圧に基づいて前記グレーレベル電圧の内の一つのグレーレベル電圧が補正用に選択され、同一の極性を有する前記二つの水平線の第１の水平線が補正されることを特徴とする請求項１乃至３のいずれかに記載のグレーレベル輝度を補正する方法。
【請求項５】
複数の水平線が同一の極性を有する場合、前記エラー電圧は同じ水平線反転時間の後における前記第１の水平線の画素コンデンサの電圧と他の水平線の画素コンデンサの電圧との電圧差であることを特徴とする請求項４に記載のグレーレベル輝度を補正する方法。
【請求項６】
前記液晶ディスプレイパネルの駆動方法はＮの水平線の極性が一回逆転するＮライン反転駆動法であり、Ｎは２と等しく或いは２より大きいことを特徴とする請求項１乃至５のいずれかに記載のグレーレベル輝度を補正する方法。
【請求項７】
液晶ディスプレイパネルに適合されるグレーレベル輝度を補正する装置であって、該液晶ディスプレイパネルは、複数のデータ線と、上端から下端にかけて該データ線と直交する複数の水平線とを備え、前記各データ線は複数の画素を備え、該画素の各々はグレーレベルの内の一つのグレーレベルに対応するとともに極性信号に対応し、
複数のガンマ電圧を受け取り且つ該複数のガンマ電圧を分割して前記グレーレベルの各々の輝度に対応する複数のグレーレベル電圧を発生する電圧分割回路と、
前記データ線に結合し、該データ線の極性に基づいて制御信号を生成する制御信号生成器と、
前記電圧分割回路および前記制御信号生成器に結合し、前記制御信号を受け取り且つ該制御信号に基づいて前記グレーレベル電圧の内の一つの補正用のグレーレベル電圧を選択する複数のマルチプレクサと、
前記マルチプレクサに結合し、該マルチプレクサから出力されたグレーレベル電圧を受け取るデジタル／アナログコンバータとを備えることを特徴とするグレーレベル輝度を補正する装置。
【請求項８】
前記電圧分割回路は直列に接続された複数の電圧分割ユニットを備え、該電圧分割ユニットの各々は複数の受動部品によって構成されていることを特徴とする請求項７に記載のグレーレベル輝度を補正する装置。
【請求項９】
前記電圧分割回路は直列に接続された複数の電圧分割ユニットを備え、該電圧分割ユニットの各々は複数の能動部品によって構成されていることを特徴とする請求項７に記載のグレーレベル輝度を補正する装置。
【請求項１０】
前記グレーレベルの第１の組のグレーレベルに対応する前記グレーレベル電圧の第２の組のグレーレベル電圧は、前記電圧分割ユニットの第１の組の電圧分割ユニットと第２の組の電圧分割ユニットとを直列に乗じることで発生し、前記電圧分割ユニットの各々は複数の受動部品によって構成されていることを特徴とする請求項７または８に記載のグレーレベル輝度を補正する装置。
【請求項１１】
前記グレーレベルの第１の組のグレーレベルに対応する前記グレーレベル電圧の第２の組のグレーレベル電圧は、前記電圧分割ユニットの第１の組の電圧分割ユニットと第２の組の電圧分割ユニットとを直列に乗じることで発生し、前記電圧分割ユニットの各々は複数の能動部品によって構成されていることを特徴とする請求項７または９に記載のグレーレベル輝度を補正する装置。
【請求項１２】
前記グレーレベル輝度に対応する画素が正極性を有する場合、前記マルチプレクサの各々が受け取った前記グレーレベル電圧から該マルチプレクサが高いグレーレベル電圧を選択し且つ該高いグレーレベル電圧を前記デジタル／アナログコンバータに出力して補正を行うように、前記制御信号生成器は前記マルチプレクサの各々を制御することを特徴とする請求項７乃至１１のいずれかに記載のグレーレベル輝度を補正する装置。
【請求項１３】
前記グレーレベル輝度に対応する画素が負極性を有する場合、前記マルチプレクサの各々が受け取った前記グレーレベル電圧から該マルチプレクサが低いグレーレベル電圧を選択し且つ該低いグレーレベル電圧を前記デジタル／アナログコンバータに出力して補正を行うように、前記制御信号生成器は前記マルチプレクサの各々を制御することを特徴とする請求項７乃至１１のいずれかに記載のグレーレベル輝度を補正する装置。
【請求項１４】
前記液晶ディスプレイパネルの駆動方法はＮの水平線の極性が一回逆転するＮライン反転駆動法であり、Ｎは２と等しく或いは２より大きいことを特徴とする請求項７乃至１３のいずれかに記載のグレーレベル輝度を補正する装置。
【請求項１５】
複数のデータ線と、上端から下端にかけて該データ線と直交する複数の水平線とを備え、前記各データ線は複数の画素を備え、該画素の各々はグレーレベルの内の一つのグレーレベルに対応するとともに極性信号に対応している液晶ディスプレイパネルと、
複数のガンマ電圧を受け取り且つ該複数のガンマ電圧を分割して前記グレーレベルの各々の輝度に対応する複数のグレーレベル電圧を発生する電圧分割回路と、
前記データ線に結合し、該データ線の極性に基づいて制御信号を生成する制御信号生成器と、
前記電圧分割回路および前記制御信号生成器に結合し、前記制御信号を受け取り且つ該制御信号に基づいて前記グレーレベル電圧の内の一つの補正用のグレーレベル電圧を選択する複数のマルチプレクサと、
前記マルチプレクサに結合し、該マルチプレクサから出力されたグレーレベル電圧を受け取るデジタル／アナログコンバータとを備えることを特徴とするグレーレベル電圧を補正する装置を有する液晶ディスプレイ。
【請求項１６】
前記電圧分割回路は直列に接続された複数の電圧分割ユニットを備え、該電圧分割ユニットの各々は複数の受動部品によって構成されていることを特徴とする請求項１５に記載の液晶ディスプレイ。
【請求項１７】
前記電圧分割回路は直列に接続された複数の電圧分割ユニットを備え、該電圧分割ユニットの各々は複数の能動部品によって構成されていることを特徴とする請求項１５に記載の液晶ディスプレイ。
【請求項１８】
前記グレーレベルの第１の組のグレーレベルに対応する前記グレーレベル電圧の第２の組のグレーレベル電圧は、前記電圧分割ユニットの第１の組の電圧分割ユニットと第２の組の電圧分割ユニットとを直列に乗じることで発生し、前記電圧分割ユニットの各々は複数の受動部品によって構成されていることを特徴とする請求項１５または１６に記載の液晶ディスプレイ。
【請求項１９】
前記グレーレベルの第１の組のグレーレベルに対応する前記グレーレベル電圧の第２の組のグレーレベル電圧は、前記電圧分割ユニットの第１の組の電圧分割ユニットと第２の組の電圧分割ユニットとを直列に乗じることで発生し、前記電圧分割ユニットの各々は複数の能動部品によって構成されていることを特徴とする請求項１５または１７に記載の液晶ディスプレイ。
【請求項２０】
前記グレーレベル輝度に対応する画素が正極性を有する場合、前記マルチプレクサの各々が受け取った前記グレーレベル電圧から該マルチプレクサが高いグレーレベル電圧を選択し且つ該高いグレーレベル電圧を前記デジタル／アナログコンバータに出力して補正を行うように、前記制御信号生成器は前記マルチプレクサの各々を制御することを特徴とする請求項１５乃至１９のいずれかに記載の液晶ディスプレイ。
【請求項２１】
前記グレーレベル輝度に対応する画素が負極性を有する場合、前記マルチプレクサの各々が受け取った前記グレーレベル電圧から該マルチプレクサが低いグレーレベル電圧を選択し且つ該低いグレーレベル電圧を前記デジタル／アナログコンバータに出力して補正を行うように、前記制御信号生成器は前記マルチプレクサの各々を制御することを特徴とする請求項１５乃至１９のいずれかに記載の液晶ディスプレイ。
【請求項２２】
前記液晶ディスプレイパネルの駆動方法はＮの水平線の極性が一回逆転するＮライン反転駆動法であり、Ｎは２と等しく或いは２より大きいことを特徴とする請求項１５乃至２１のいずれかに記載の液晶ディスプレイ。
【発明の詳細な説明】
【技術分野】
【０００１】
本発明はグレーレベル輝度の表示方法とその装置とに関し、さらに詳細には、液晶ディスプレイがＮライン反転駆動法を用いる場合において、グレーレベル電圧によりグレーレベル輝度を補正する方法および装置に関する。
【背景技術】
【０００２】
液晶ディスプレイパネルは軽量で薄く、適応性のあるサイズであり、低作動電圧、低消費電力および輻射がない等の利点を有することから、液晶ディスプレイパネルは近年においてはディスプレイパネルの主流となってきた。
【０００３】
液晶ディスプレイパネルでは、液晶分子は特定の電圧の極性の下での状態にしておくことはできず、さもなければ、しばらくすると液晶分子は破壊され、たとえその電圧がオフとなった後であっても液晶分子は電界の変化と共に回転しなくなってしまうであろう。液晶ディスプレイパネルにおいては、該液晶ディスプレイパネルによって表示される画像に変化がない場合、液晶分子に印加される電圧極性を変更して該液晶分子の性質が損なわれるのを防止しなくてはならない。従来の液晶ディスプレイパネルの駆動方法では、液晶分子の両端間の電圧差を正極性の電圧差と負極性の電圧差とに分割して極性を変更している。該極性の変更方法は、フレーム反転法、行反転法、列反転法、およびドット反転法がある。上述したこれらの方法における違いは、液晶ディスプレイパネルの二つの隣接した画素が同じ極性を有するか否かである。それらの方法では、各画素の極性の反転はディスプレイパネルの画像全体の走査と同期している。フリッカやクロストークの問題を除けば、ドット反転法は最も一般的な方法である。
【０００４】
従来のドット反転法では、１ライン反転法、２ライン反転法およびＮライン反転法が構築された。Ｎライン反転法の極性分布と走査波形とは、２ライン反転法の極性分布および走査波形に準じて推定することができる。
【発明の開示】
【発明が解決しようとする課題】
【０００５】
図１は、従来の液晶ディスプレイのソース駆動回路を示す図である。該ソース駆動回路は、ラッチ１００と、レベルシフタ１０２と、ガンマ抵抗１０４と、デジタル／アナログコンバータ１０８と、出力バッファ１１０とを備える。デジタルデータはラッチ１００に書き込まれる。該ラッチ１００が水平線の画像データを格納すると、該画像データはレベルシフタ１０２に送られる。該レベルシフタ１０２はデジタル画像データの電圧レベルを変え、そしてそのデジタル画像データをデジタル／アナログコンバータ１０８へと出力する。デジタル／アナログコンバータ１０８は該デジタル画像データを受け取って、アナログ画像データを出力バッファ１１０へと出力する。最後に、該出力バッファ１１０は画像データを液晶画素に書き込む。出力バッファ１１０はユニティ・ゲイン負帰還演算増幅器から構成されている。
【０００６】
液晶ディスプレイパネルの薄膜トランジスタ（ＴＦＴ）のターン・オン・抵抗は非常に高いので、画素の充電／放電抵抗・コンデンサ（ＲＣ）時間遅延は多大なものとなる。図２は、液晶ディスプレイの画素のコンデンサの充電／放電を示す図である。該画素コンデンサの充電／放電は即座に成立させることはできない。その結果、エラー電圧が発生して、第１の水平線のエラー電圧は同一の極性を有する他の水平線のエラー電圧よりも高くなってしまう。１０２４×７６８のＸＧＡ液晶ディスプレイでは、水平線の書き込み時間は約２０μ秒である。もし各画素の時定数が約５μ秒であるとすると、１．８％のエラー電圧が発生することとなる。１０Ｖの作動電圧において、エラー電圧は約１８３ｍＶである。高解像度の液晶ディスプレイでは水平線は短くなることから、エラー電圧は高くなることになる。
【０００７】
旧来の駆動回路とＮライン反転駆動法との組み合わせは、次の不都合があると考えられる。
１．  伝統的な駆動回路では、各グレーレベルはガンマ抵抗に対応する。結果として各グレー電圧が固定されてしまう。
２．  Ｎライン反転駆動法が用いられる場合には電力の消費を抑えることが可能である。しかしながら極性の反転はＮの水平線反転時間まで生じないため、二つの隣接する水平線の充電／放電において電荷の量に差が発生してしまう。その結果、グレーレベルの表示も異なってしまう。したがってディスプレイ全体が同一のグレーレベルを有する場合、ディスプレイには明暗の縞模様が表示されることになる。
【０００８】
このことから、液晶ディスプレイパネルでＮライン反転駆動法が用いられる場合は、ディスプレイ上での該明暗の縞模様を低減するための駆動回路および方法が望まれる。
【０００９】
そこで、本発明はグレーレベル輝度を補正する方法を対象としている。この方法は、従来の技術の制約によってもたらされる問題点の一つまたは複数の問題点を効果的に解消することが可能である。
【課題を解決するための手段】
【００１０】
本発明はグレーレベル輝度を補正する方法を提供するものである。該方法は液晶ディスプレイパネルに適合する。その液晶ディスプレイパネルは、複数のデータ線と、上端から下端にかけて該データ線と直交する複数の水平線とを備える。前記各データ線は複数の画素を備える。前記画素の各々は前記データ線によって供給される制御信号に応じて該信号に対応するグレーレベル輝度を発生する。前記グレーレベル輝度を補正する方法は、前記グレーレベル輝度に対応して複数のグレーレベル電圧を選択的に発生させることでなされる。前記画素の充電／放電時間が不十分である場合、ターゲット電圧よりも高い電圧または低い電圧を選択してグレーレベル電圧を補正することが可能である。前記電圧を選択する方法は制御信号によって制御することができる。
【００１１】
本発明の一実施例におけるグレーレベル輝度を補正する方法によれば、前記画素が同じグレーレベルを有し且つ正極性を有する場合、十分な充電時間を持たない画素に制御信号が供給される。該制御信号により複数のグレーレベル電圧から高い補正グレーレベル電圧が選択される。該高補正グレーレベル電圧はエラー電圧によって決定される。
【００１２】
本発明の一実施例におけるグレーレベル輝度を補正する方法によれば、前記画素が同じグレーレベルを有し且つ負極性を有する場合、十分な放電時間を持たない画素に制御信号が供給される。該制御信号により複数のグレーレベル電圧から低い補正グレーレベル電圧が選択される。該低補正グレーレベル電圧はエラー電圧によって決定される。
【００１３】
本発明の一実施例におけるグレーレベル輝度を補正する方法によれば、同一の極性を有する二つの隣接する水平線が同じグレーレベル輝度を示す場合、該二つの水平線間の前記エラー電圧に基づいて前記グレーレベル電圧の内の一つのグレーレベル電圧が補正用に選択され、同一の極性を有する前記二つの水平線の第１の水平線が補正される。
【００１４】
本発明の一実施例におけるエラー電圧を決定してグレーレベル輝度を補正する方法によれば、複数の水平線が同一の極性を有する場合、前記エラー電圧は同じ水平線反転時間の後における前記第１の水平線の画素コンデンサの電圧と他の水平線の画素コンデンサの電圧との電圧差である。
【００１５】
本発明の一実施例におけるグレーレベル輝度を補正するための装置を有する液晶ディスプレイによれば、該液晶ディスプレイは、液晶ディスプレイパネルと、電圧分割回路と、制御信号生成器と、複数のマルチプレクサと、デジタル／アナログコンバータとを備える。前記液晶ディスプレイパネルは、複数のデータ線と、上端から下端にかけて該データ線と直交する複数の水平線とを備える。前記各データ線は複数の画素を備え、該画素の各々はグレーレベルの内の一つのグレーレベルに対応するとともに極性信号にも対応している。前記電圧分割回路は、複数のガンマ電圧を受け取り且つ該複数のガンマ電圧を分割して前記グレーレベルの各々の輝度に対応する複数のグレーレベル電圧を発生する。前記制御信号生成器は前記データ線に結合し、該データ線の極性に基づいて制御信号を生成する。前記マルチプレクサは前記電圧分割回路および前記制御信号生成器に結合し、受け取った制御信号に基づいて前記グレーレベル電圧の内の一つの補正用のグレーレベル電圧を選択する。前記デジタル／アナログコンバータは前記マルチプレクサに結合し、該マルチプレクサから出力されたグレーレベル電圧を受け取る。
【００１６】
本発明の一実施例によれば電圧駆動回路が提供される。該電圧分割回路は直列に接続された複数の電圧分割ユニットを備え、該電圧分割ユニットの各々は複数の受動部品または能動部品によって構成されている。
【００１７】
本発明の一実施例によれば別の電圧駆動回路が提供される。ｍのグレーレベルに対応するＮのグレーレベル電圧は、直列に接続された電圧分割ユニットを乗じる（ｍ×ｎ）ことで発生し、前記電圧分割ユニットの各々は複数の受動部品または能動部品によって構成されている。
【００１８】
本発明の一実施例によれば、グレーレベル輝度を補正するための装置を有する液晶ディスプレイが提供される。該液晶ディスプレイの前記グレーレベル輝度に対応する画素が正極性を有する場合、前記マルチプレクサの各々が受け取った対応する複数の前記グレーレベル電圧から該マルチプレクサが高いグレーレベル電圧を選択し且つ該高いグレーレベル電圧を前記デジタル／アナログコンバータに出力して補正を行うように、前記制御信号生成器は前記マルチプレクサの各々を制御する。
【００１９】
本発明の一実施例によれば、グレーレベル輝度を補正するための装置を有する別の液晶ディスプレイが提供される。該液晶ディスプレイの前記グレーレベル輝度に対応する画素が負極性を有する場合、前記マルチプレクサの各々が受け取った対応する複数の前記グレーレベル電圧から該マルチプレクサが低いグレーレベル電圧を選択し且つ該低いグレーレベル電圧を前記デジタル／アナログコンバータに出力して補正を行うように、前記制御信号生成器は前記マルチプレクサの各々を制御する。
【００２０】
本発明の一実施例における液晶ディスプレイのグレーレベル輝度を補正する駆動方法によれば、前記液晶ディスプレイパネルの駆動方法はＮの水平線の極性が一回逆転するＮライン反転駆動法であり、Ｎは２と等しく或いは２より大きい。
【００２１】
本発明の上記および他の特徴は、添付図面と関連する以下の本発明の詳細な説明からより一層理解することができる。
【発明の効果】
【００２２】
本発明によれば、液晶ディスプレイパネルでＮライン反転駆動法が用いられる場合においてディスプレイ上での明暗の縞模様を低減するための駆動回路および方法を提供することが可能となる。従って、グレーレベル輝度を効果的に補正可能であるとともに液晶ディスプレイに該明暗の縞模様が表示される不具合を解消することができる。
【発明を実施するための最良の形態】
【００２３】
本発明の特徴を添付図面とともに以下の実施例で説明する。ただし、本発明の範囲はこれらの実施例に限定されるものではない。また、それらの図面の寸法および比率は特定されていないということに注目すべきである。以下に記載のいかなる構造や材料も、本発明の範囲内で適宜変更が可能である。
【実施例】
【００２４】
ドット反転法を伴った旧来の駆動回路では、二つの隣接する水平線の極性を必ず反転しなくてはならない。画素の充電電圧／放電電圧においてはエラー電圧が存在するが、パネル全体が同一のグレーレベルを有する場合、表示されたエラー電圧は人間の目からすれば顕著に見えることはないであろう。その結果、ディスプレイ上の画像ははっきりと見ることができる。
【００２５】
実際には、本発明はドット反転法を必要とはしない。本発明では電力の節約が可能なＮライン反転駆動法を用いる。本発明は、該Ｎライン反転駆動法を用いる、同一の極性を有する複数のグレーレベル電圧の第１のグレーレベル電圧を補正するための方法および装置である。
【００２６】
液晶ディスプレイパネルは、複数のデータ線と、上端から下端にかけて該データ線と直交する複数の水平線とを備える。データ線は複数の画素を有する。各画素はグレーレベルおよび極性信号に対応する。Ｎライン反転法を伴った従来の駆動回路では、極性はＮの水平線反転時間において一回反転する。回路の特性に起因して、同一の極性を持つ二つの隣接する水平線は充電／放電においては異なる電荷の量を有することとなる。したがって、Ｎライン反転駆動法の下で、本発明は同一の極性を持つ複数のグレーレベル電圧の第１の水平線のグレーレベル電圧を補正する方法を提供する。
【００２７】
図３は、本発明の実施例に係るソース駆動回路を示す概略図である。本発明のソース駆動回路は、ラッチ３００と、レベルシフタ３０２と、ガンマ抵抗３０４と、マルチプレクサ３０６と、デジタル／アナログコンバータ３０８と、出力バッファ３１０とを備える。デジタルデータはラッチ３００に書き込まれる。該ラッチ３００が水平線の画像データを格納すると、同時に該データはレベルシフタ３０２に出力される。該レベルシフタ３０２はデジタル画像データの電圧レベルを変えるとともにそのデジタル画像データをデジタル／アナログコンバータ３０８へと出力する。デジタル／アナログコンバータ３０８は該デジタル画像データを受け取り、アナログ画像データを出力バッファ３１０へと出力する。そして、該出力バッファ３１０は画像データを液晶画素に書き込む。出力バッファ３１０は、ユニティ・ゲイン負帰還演算増幅器から構成されている。
【００２８】
図４Ａは、従来のソース駆動回路のガンマ抵抗を示す図である。図４Ｂは、本発明の実施例に係るソース駆動回路のガンマ抵抗を示す概略図である。図４Ａを参照すると、本発明は従来のソース駆動回路のシステム構成からの改良である。各グレーレベルのガンマ抵抗はｎ抵抗に分割されている。図４Ｂは、ｎ＝２である場合のガンマ抵抗を示す。図４Ａと図４Ｂとを比較すると、図４Ａに示す抵抗Ｒ１は図４Ｂにおける抵抗Ｒ１ａ＋Ｒ１ｂに相当し、図４Ａに示す抵抗Ｒ２は図４Ｂにおける抵抗Ｒ２ａ＋Ｒ２ｂに相当し、そして図４Ａに示す抵抗Ｒｍは図４Ｂにおける抵抗Ｒｍａ＋Ｒｍｂに相当する（但し、ｍは整数）。Ｎライン反転方法では、ｍ＝２Ｎ−１である。抵抗ＲｍａおよびＲＭｂを選択するのは、隣接する二つの水平線が同一の極性を有するようにして、補正を行う目的を達成するためである。
【００２９】
図５Ａは、本発明の実施例に係る正極性においてグレーレベルを補正する回路を示す概略図である。極性制御信号を反転させる際の第１の水平線反転時間の間では、制御信号生成器５００の制御下のマルチプレクサ５０２は比較的高い電圧を出力する。他の水平線反転時間に対しては、制御信号生成器５００のマルチプレクサ５０２は比較的低い電圧を出力する。
【００３０】
図５Ｂは、本発明の実施例に係る負極性においてグレーレベルを補正する回路を示す概略図である。極性制御信号を反転させる第１の水平線反転時間の間では、制御信号生成器５１０の制御下のマルチプレクサ５１２は比較的低い電圧を出力する。他の水平線反転時間に対しては、制御信号生成器５１０のマルチプレクサ５１２は比較的高い電圧を出力する。
【００３１】
同一の極性を持つ二つの隣接する画素が同じグレーレベル輝度を有する場合、該二つの隣接する画素のコンデンサに蓄積された電荷の差によってエラー電圧Ｖｅが発生する。その際、適切なグレーレベル電圧Ｖｍを選択して同一の極性を持つ信号の第１の水平線を補正する。同一の水平線の書き込み時間において、エラー電圧Ｖｅは第１の水平線の電圧と他の水平線の電圧との差である。該エラー電圧Ｖｅが、二つの隣接するグレーレベル間のグレーレベル電圧の差より大きい場合、ｋ番目のグレーレベルの分割電圧Ｖｋを用いて同一の極性を持つ第１の水平線のグレーレベル電圧を補正する。正極性では、Ｖ（ｋ＋１）<Ｖｍ＋Ｖｅ<Ｖｋである。図６Ａは、本発明の実施例に係るマルチプレクサに結合した正極性を持つグレーレベル補正回路を示す概略図である。負極性では、Ｖ（ｋ＋１）<Ｖｍ−Ｖｅ<Ｖｋである。図６Ｂは、本発明の実施例に係るマルチプレクサに結合した負極性を持つグレーレベル補正回路を示す概略図である。
【００３２】
各グレーレベルの輝度はマルチプレクサに対応している。該マルチプレクサは、グレーレベル電圧の内の一つのグレーレベル電圧を選択してグレーレベル輝度に対応させる。そして、グレーレベル電圧がデジタル／アナログコンバータに出力される。マルチプレクサは制御信号生成器により制御される。図７は、本発明の実施例に係る制御信号の配列を示す図である。これにより、同一の極性を持つ第１の水平線を選択して補正を行うことが可能である。
【００３３】
本発明を例示的な実施例の観点から説明したが、本発明はこれらに限定されるものではない。むしろ、添付の特許請求の範囲は、本発明の均等物の範囲や領域から逸脱することなく当業者によって成される可能性のある本発明の他の変形例や実施例を包含するよう、広く解釈されなくてはならない。
【図面の簡単な説明】
【００３４】
【図１】従来の液晶ディスプレイのソース駆動回路を示す図である。
【図２】液晶ディスプレイにおける画素コンデンサの充電／放電を示す図である。
【図３】本発明の実施例に係るソース駆動回路を示す概略図である。
【図４Ａ】従来のソース駆動回路のガンマ抵抗を示す図である。
【図４Ｂ】本発明の実施例に係るソース駆動回路のガンマ抵抗を示す概略図である。
【図５Ａ】本発明の実施例に係る正極性でのグレーレベル輝度を補正する回路を示す概略図である。
【図５Ｂ】本発明の実施例に係る負極性でのグレーレベル輝度を補正する回路を示す概略図である。
【図６Ａ】本発明の実施例に係るマルチプレクサに結合した正極性におけるグレーレベル補正回路を示す概略図である。
【図６Ｂ】本発明の実施例に係るマルチプレクサに結合した負極性におけるグレーレベル補正回路を示す概略図である。
【図７】本発明の実施例に係る制御信号の配列を示す図である。
【符号の説明】
【００３５】
３００  ラッチ
３０２  レベルシフタ
３０４  ガンマ抵抗
３０６  マルチプレクサ
３０８  デジタル／アナログコンバータ
３１０  出力バッファ
５００、５１０  制御信号生成器
５０２、５１２  マルチプレクサ
Ｒ１ａ、Ｒ１ｂ  抵抗
Ｒ２ａ、Ｒ２ｂ  抵抗
Ｒｍａ、Ｒｍｂ  抵抗
【図１】
2006189754.tif 000003
【図２】
2006189754.tif 000004
【図３】
2006189754.tif 000005
【図４Ａ】
2006189754.tif 000006
【図４Ｂ】
2006189754.tif 000007
【図５Ａ】
2006189754.tif 000008
【図５Ｂ】
2006189754.tif 000009
【図６Ａ】
2006189754.tif 000010
【図６Ｂ】
2006189754.tif 000011
【図７】
2006189754.tif 000012